(57)【特許請求の範囲】
【請求項１】
地下鉄駅構内に於いて、地下鉄利用者に広告情報と地下鉄案内情報とを提供するシステムであって、
地下鉄駅構内に設置された投影装置と、
前記投影装置からの投影画像を表示する表示パネルと、
前記投影装置と通信ネットワークを介して接続され、少なくとも、広告スポンサーの登録情報が記録されるスポンサーテーブル、広告情報が記録される広告テーブル、広告情報を前記投影装置に配信するスケジュール情報が記録される配信スケジュールテーブル、前記表示パネルの設置場所を基点とした地下鉄案内情報が記録される地下鉄案内テーブル、及び利用者が地下鉄案内情報を検索した実績が記録される検索実績テーブルからなるデータベースと、広告情報を前記投影装置に配信するための運用管理を行う管理者端末装置と、を有する情報管理装置と、
前記情報管理装置と通信ネットワークを介して接続され、広告情報を受信すると共に地下鉄案内情報を検索するための利用者が保有する利用者端末装置と、
前記情報管理装置と通信ネットワークを介して接続され、利用者の検索実績情報を受信する広告スポンサーの広告主端末装置と、から構成され、
前記情報管理装置は、
前記管理者端末装置からの配信要求に応答し、前記データベースより、配信スケジュールテーブルに予め登録された配信スケジュール情報から広告テーブルを検索して広告情報を取得し、取得した広告情報を配信スケジュール情報の設定に基づき前記投影装置に通信ネットワークを介し配信して前記表示パネルに投影画像を表示させる配信手段と、
前記利用者端末装置からの検索要求に応答し、案内分類の選択と前記表示パネル毎に異なるパネル番号が掲示された該パネル番号との入力を受け付け、前記データベースより、該パネル番号に対応した地下鉄案内テーブルを検索して当該表示パネルの設置場所を基点とした案内分類に対応する地下鉄案内情報を取得し、取得した該地下鉄案内情報に含まれる広告分類及び広告コードより広告テーブルを検索して対応する広告情報を取得し、所要の地下鉄案内情報と広告情報とを前記利用者端末に送信する検索手段と、
前記検索手段で検索された地下鉄案内情報の検索実績が記録された検索実績テーブルを検索して対応する検索実績情報を取得し、取得した該検索実績情報に付加された広告スポンサー毎の検索実績を積算する積算手段と、
前記管理者端末装置からの検索実績提供要求に応答し、前記データベースより、検索実績テーブルをスポンサーコード毎に検索して検索実績情報を取得し、取得した該検索実績情報に含まれるスポンサーコードよりスポンサーテーブルを検索して対応する広告スポンサーの登録情報を取得し、当該広告スポンサーの広告主端末装置に積算された検索実績情報を送信する検索実績提供手段と、を備えることを特徴とする広告情報提供システム。
【請求項２】
前記広告情報は、企業広告情報、公共ＰＲ情報、地下鉄営業案内情報、文字情報から選択されてその配信スケジュール情報が構成され、
前記文字情報は、更にニュース情報と気象情報とから構成されていることを特徴とする請求項１に記載の広告情報提供システム。
【請求項３】
前記地下鉄案内情報は、地下鉄利用者に、駅構内の目的施設場所に到着するまでの経路を案内するために提供する施設経路案内情報、目的駅に到着するまでの路線乗換経路を案内するために提供する路線乗換経路案内情報、目的場所に最も近い地下鉄出口までの経路を案内するために提供する出口経路案内情報、駅周辺の店舗・施設を案内するために提供する店舗施設案内情報から選択される全部あるいは幾つかの情報で構成されていることを特徴とする請求項１に記載の広告情報提供システム。
【発明の詳細な説明】
【０００１】
【発明の属する技術分野】
本発明は、主として、地下鉄駅構内に於いて、地下鉄利用者に広告情報を提供するシステムに関するものである。
【０００２】
【従来の技術】
従来より、地下鉄構内、特に、複数の路線が集結した利用客数の多い地下鉄駅構内に於ける広告には、掲載効果が充分期待されるため、効果的な広告を狙って、各広告掲示箇所について、広告掲載を希望するスポンサーが集中している。しかし、広告媒体としては、主にポスターを貼り付けた掲示板や、バックライト式のパネル表示板が利用されており、一つの掲示場所に、一つの広告を、一定期間、連続して掲示する方法がとられている。
【０００３】
そのため、広告掲載を希望する希望者が集中する場所に於いて、上記のような広告の掲示方法では、広告を掲示する場所にも限りがあり、スポンサー側の要求を満足させられない場合が屡々で、既に長期間に渡って申し込みの予約が登録されているため、希望する地下鉄駅構内の所要箇所での広告が、スポンサーの希望する時期に掲示できないという問題がある。
【０００４】
また、最近では、広告媒体として、液晶ディスプレー装置や発光ダイオード装置を駅構内に設置して広告を配信する方法も行われている。これらの装置は随時的に画面変更ができるので、同一箇所で、多数のスポンサーの広告が、時分割式に掲載できるメリットがあるが、広告表示装置として、設備装置の導入時のイニシャルコストだけではなく、画面装置の欠損時のメンテナンスコストを含むと、かなりのトータルコスト高が予想されることから実現が困難である。特に、この液晶ディスプレー装置や発光ダイオード装置は、多数の箇所に設置する必要があるために、より大きなトータルコストが掛かる。そこで、このトータルコストを抑え、しかも、大容量情報も表示可能な、更には、装置も軽量で、表示面も大きく、耐震性に富んだ装置が望まれる。
【０００５】
さらに、地下鉄を利用する客層は、曜日、時間帯によって異なるので、時分割式で広告掲載する場合は、広告掲載者の側から見れば、ターゲットに合わせたタイミングで広告内容を掲示する方が、より大きな広告効果を生むと期待できるので、この点を狙った掲示方法が、前記液晶ディスプレー装置や前記発光ダイオード装置に代わるものとして望まれている。
【０００６】
さらにまた、複数の路線が集結した地下鉄駅構内が不慣れな人にとっては、自分がいる場所も特定できないため、路線を乗り換えて目的の場所へ行くことは、容易ではなかった。
【０００７】
そこで、この問題を解決するためには、地下鉄駅構内に於ける従来の広告掲示方法と広告媒体の再検討を行うと共に、地下鉄駅構内が不慣れな人にとって、案内窓口を探す必要のない、ガイドとしても利用できる広告情報提供システムを提供することが必要である。
【０００８】
【発明が解決しようとする課題】
本発明は、以上のような問題を解決するためになされたもので、広告情報と地下鉄案内情報とを登録したデータベースを装備し、通信ネットワークを介して、地下鉄駅構内に設置した投影装置に広告情報を配信し、前記投影装置を介して表示パネル上に投影画像を表示すると共に、地下鉄利用者が地下鉄駅構内で、携帯無線電話機などを利用して、その表示パネルを基点とする地下鉄案内情報を検索することができる広告情報提供システムを提供することを目的とする。
【０００９】
【課題を解決するための手段】
上記目的を達成するため、請求項１に記載の発明は、地下鉄駅構内に於いて、地下鉄利用者に広告情報と地下鉄案内情報とを提供するシステムであって、
地下鉄駅構内に設置された投影装置と、前記投影装置からの投影画像を表示する表示パネルと、前記投影装置と通信ネットワークを介して接続され、少なくとも、広告スポンサーの登録情報が記録されるスポンサーテーブル、広告情報が記録される広告テーブル、広告情報を前記投影装置に配信するスケジュール情報が記録される配信スケジュールテーブル、前記表示パネルの設置場所を基点とした地下鉄案内情報が記録される地下鉄案内テーブル、及び利用者が地下鉄案内情報を検索した実績が記録される検索実績テーブルからなるデータベースと、広告情報を前記投影装置に配信するための運用管理を行う管理者端末装置と、を有する情報管理装置と、前記情報管理装置と通信ネットワークを介して接続され、広告情報を受信すると共に地下鉄案内情報を検索するための利用者が保有する利用者端末装置と、前記情報管理装置と通信ネットワークを介して接続され、利用者の検索実績情報を受信する広告スポンサーの広告主端末装置と、から構成され、
前記情報管理装置は、前記管理者端末装置からの配信要求に応答し、前記データベースより、配信スケジュールテーブルに予め登録された配信スケジュール情報から広告テーブルを検索して広告情報を取得し、取得した広告情報を配信スケジュール情報の設定に基づき前記投影装置に通信ネットワークを介し配信して前記表示パネルに投影画像を表示させる配信手段と、前記利用者端末装置からの検索要求に応答し、案内分類の選択と前記表示パネル毎に異なるパネル番号が掲示された該パネル番号との入力を受け付け、前記データベースより、該パネル番号に対応した地下鉄案内テーブルを検索して当該表示パネルの設置場所を基点とした案内分類に対応する地下鉄案内情報を取得し、取得した該地下鉄案内情報に含まれる広告分類及び広告コードより広告テーブルを検索して対応する広告情報を取得し、所要の地下鉄案内情報と広告情報とを前記利用者端末に送信する検索手段と、前記検索手段で検索された地下鉄案内情報の検索実績が記録された検索実績テーブルを検索して対応する検索実績情報を取得し、取得した該検索実績情報に付加された広告スポンサー毎の検索実績を積算する積算手段と、前記管理者端末装置からの検索実績提供要求に応答し、前記データベースより、検索実績テーブルをスポンサーコード毎に検索して検索実績情報を取得し、取得した該検索実績情報に含まれるスポンサーコードよりスポンサーテーブルを検索して対応する広告スポンサーの登録情報を取得し、当該広告スポンサーの広告主端末装置に積算された検索実績情報を送信する検索実績提供手段と、を備えることを特徴とする
このことにより、地下鉄駅の広告担当部署は、一箇所の広告掲示場所に、曜日、時間帯に合わせた複数の広告を、時間分割して繰り返し配信すると共に、限られた広告掲示場所を有効利用して、設備装置のメンテナンスコストを含むトータルコストを押さえることができ、また、広告スポンサーは、ターゲットに合わせた、より大きな広告効果を期待することができる。
また、ＧＰＳによる位置情報が取得できない地下鉄駅構内に於いても、地下鉄利用者に対して、地下鉄利用者の所在位置を基点した地下鉄案内情報を提供することができる。
さらに、地下鉄駅の広告担当部署は、配信スケジュールに基づいた広告収入以外に、地下鉄利用者の要求による地下鉄案内情報と併用した広告を露出することによる広告収入を得ることができる。
【００１０】
請求項２に記載の前記広告情報は、企業広告情報、公共ＰＲ情報、地下鉄営業案内情報、文字情報から選択されてその配信スケジュール情報が構成され、前記文字情報は、更にニュース情報と気象情報とから構成されることを特徴とする
このことにより、公共施設である地下鉄駅構内は、地下鉄利用者に対して、より利用し易い駅としての情報発信機能を備えることができる。
【００１２】
請求項３に記載の前記地下鉄案内情報は、地下鉄利用者に、駅構内の目的施設場所に到着するまでの経路を案内するために提供する施設経路案内情報、目的駅に到着するまでの路線乗換経路を案内するために提供する路線乗換経路案内情報、目的場所に最も近い地下鉄出口までの経路を案内するために提供する出口経路案内情報、駅周辺の店舗・施設を案内するために提供する店舗施設案内情報から選択される全部あるいは幾つかの情報で構成されていることを特徴とする。
このことにより、地下鉄利用者に対して、地下鉄駅の入り口から路線を乗り換えて目的場所へ向かう出口までの経路案内情報を提供することができる。
【００１５】
【発明の実施の形態】
以下、本発明に係わる広告情報提供システムの一実施形態を、図に基づいて詳細に説明する。
【００１６】
図１は本発明の広告情報提供システム１００のシステム構成を示す模式図である。
【００１７】
図１に示すように広告情報提供システム１００は、地下鉄駅構内に設置する表示パネル２（例えば、スクリーン）に投影する投影装置１（例えば、液晶プロジェクター）と、地下鉄駅構内で利用される利用者端末装置３（例えば、地下鉄利用者が保有する携帯無線電話機、または、後述の広告情報提供システムの管理機構が設置したパソコン）と、広告スポンサーが保有する広告主端末装置４と、投影装置１と利用者端末装置３と広告主端末装置４がインターネット５を介して接続される広告情報提供システムの管理機構（例えば、鉄道会社の広告管理部門、または、鉄道会社と提携した広告管理会社）が備える情報管理装置１０とから構成される。
【００１８】
情報管理装置１０は、広告情報提供管理業務を遂行するために必要な情報を登録するデータベース２０と、広告情報を投影装置１に配信する運用管理を行う管理者端末装置１１と、地下鉄駅構内で地下鉄利用者が利用する利用者端末装置３からの検索要求を受信して、データベース２０の検索結果をインターネット５を介して送信するＷｅｂサーバー１２と、データベースを管理するデータベースサーバー１３を備える。
【００１９】
データベース２０は、スポンサーテーブル２１と広告テーブル２２と配信スケジュールテーブル２３と地下鉄案内テーブル２４と検索実績テーブル２５とを備える。
【００２０】
スポンサーテーブル２１は、広告スポンサーの登録情報を記録するものである。
広告スポンサーの登録情報には、第１検索キー部であるスポンサーコードと、端末ＩＤとパスワードとからなる第２検索キー部と、データ部に属するスポンサー名、住所、代表電話番号、電子メールアドレス、登録年月日などの情報が含まれる。
【００２１】
広告テーブル２２は、広告情報を記録するものである。
広告情報には、広告分類と広告コードとからなる第１検索キー部と、第２検索キー部であるスポンサーコードと、データ部に属する広告名、広告内容、ターゲット、広告秒数、配信有効期間、広告画像、登録年月日などの情報が含まれる。
広告分類には、企業広告情報、公共ＰＲ情報、地下鉄営業案内情報、文字情報（ニュース情報と気象情報など）などが設定される。
企業広告情報の広告画像には、地下鉄利用者に提供する商品および利用サービスについての割引案内情報が付加されている。
【００２２】
配信スケジュールテーブル２３は、広告情報を投影装置１に配信するスケジュール情報を記録するものである。
配信スケジュール情報には、配信年月日と配信時刻と投影装置番号とからなる第１検索キー部と、投影装置番号と配信年月日と配信時刻とからなる第２検索キー部と、データ部に属する広告分類、広告コード、広告秒数、登録年月日などの情報が含まれる。
【００２３】
地下鉄案内テーブル２４は、表示パネル２の設置場所を基点とした地下鉄案内情報を記録するものである。
地下鉄案内情報には、パネル番号と案内分類と目的場所名とからなる第１検索キー部と、広告分類と広告コードとからなる第２検索キー部と、データ部に属する案内画像、登録年月日などの情報が含まれる。
案内分類は、施設経路案内情報、路線乗換経路案内情報、出口経路案内情報、店舗施設案内情報などが設定され、施設経路案内情報は、駅構内の目的施設場所に到着するまでの経路を案内するための情報であり、路線乗換経路案内情報は、目的駅に到着するまでの路線乗換経路を案内するための情報であり、出口経路案内情報は、目的場所に最も近い地下鉄出口までの経路を案内するための情報であり、店舗施設案内情報は、駅周辺の店舗・施設を案内するための情報である。
店舗施設案内情報は、地下鉄利用者に提供する商品および利用サービスについての割引案内情報が付加されている。
【００２４】
検索実績テーブル２５は、地下鉄利用者が地下鉄案内情報を検索した検索実績情報を記録するものである。
検索実績情報には、検索年月日とパネル番号と案内分類と目的場所名と広告分類と広告コードとからなる第１検索キー部と、第２検索キー部であるスポンサーコードと、データ部に属する検索回数などの情報を含む。
【００２５】
次に、情報管理装置の処理手段群３０が、インターネット５を介して利用者端末装置３の要求信号に応答して、データベース２０の検索更新を行う処理手順について詳細に説明する。図２は本発明の情報管理装置の処理手段群の処理の流れ図であり、処理手段は以下の４手段から構成される。
【００２６】
これらは、配信手段３１と検索手段３２と積算手段３３と検索実績提供手段３４である。
【００２７】
まず、管理者端末装置１１より入力されたＩＤ、パスワードにより使用権を判定して使用権があれば、メニュー選択入力画面を送信する。
【００２８】
配信手段３１は、管理者端末装置１１からの配信要求に応答して、配信スケジュールテーブル２３を検索して取得した配信スケジュール情報に基づいて、広告テーブル２２を検索して取得した広告画像を投影装置番号の投影装置１に送信する。
【００２９】
以下に処理手順を詳細に説明する。
（１）管理者端末装置１１からの配信要求信号に応答して、システム日付とシステム時刻を検索開始キーとして配信スケジュールテーブル２３を検索して配信スケジュール情報を取得する。
（２）取得した配信スケジュール情報の配信年月日と配信時刻がシステム日付とシステム時刻になるまでウェイトする。
（３）ウェイトが解除されたら、取得した配信スケジュール情報より広告テーブル２２を検索して広告画像を取得する。
（４）取得した広告画像を配信スケジュール情報に設定されている広告秒数の間、投影装置番号の投影装置１に送信する。
（５）再度、配信スケジュールテーブル２３を検索して配信スケジュール情報を取得し、（２）から（４）の処理を繰り返す。
また、パネル番号の掲示方法について、本発明の他の実施の形態として、投影装置番号と同一番号を設定して、前述の配信手段３１の（４）の広告画像を送信する処理で、広告画像の一部分に投影装置番号を重ねて表示してもよい。
【００３０】
検索手段３２は、利用者端末装置３からの検索要求に応答して、入力したパネル番号により地下鉄案内テーブル２４を検索し、選択した地下鉄案内情報より案内画像を取得し、広告テーブル２２を検索して広告画像を取得し、取得した広告画像と案内画像を利用者端末装置３に送信する。
積算手段３３は、選択した地下鉄案内情報より検索実績テーブル２５を検索して取得した検索実績情報の検索回数に１を加算する。
【００３１】
以下に処理手順を詳細に説明する。（１）から（７）の処理が検索手段３２の処理であり、（８）の処理が積算手段３３の処理である。
（１）利用者端末装置３からの検索要求信号に応答して、案内分類一覧が予め編集された検索・案内分類選択・パネル番号入力画面を要求のあった利用者端末装置３に送信する。
（２）利用者端末装置３からの案内分類の選択とパネル番号の入力を受け付けて、地下鉄案内テーブル２４を検索して地下鉄案内情報を取得する。
（３）取得した案内分類と地下鉄案内情報一覧が予め編集された検索・目的場所名選択画面を要求のあった利用者端末装置３に送信する。
（４）利用者端末装置３からの目的場所名の選択を受け付けて、地下鉄案内情報を取得する。
（５）取得した地下鉄案内情報より広告テーブル２２を検索して広告情報を取得する。
（６）取得した広告情報より広告画像を広告秒数の間、利用者端末装置３に送信する。
（７）取得した地下鉄案内情報より案内画像を利用者端末装置３に送信する。
（８）システム日付と取得した地下鉄案内情報より検索実績テーブル２５を検索して検索実績情報を取得し、取得した検索実績情報の検索回数に１を加算する。
【００３２】
検索実績提供手段３４は、管理者端末装置１１からの検索実績提供要求に応答して、検索実績テーブル２５を検索して検索実績情報を取得し、取得した検索実績情報の広告スポンサーの広告主端末装置４に検索実績情報を送信する。
【００３３】
以下に処理手順を詳細に説明する。
（１）管理者端末装置１１からの検索実績提供要求信号に応答して、検索実績テーブル２５をスポンサーコード毎に検索して検索実績情報を取得する。
（２）取得した検索実績情報よりスポンサーテーブル２１を検索して広告スポンサーの登録情報を取得する。
（３）取得した広告スポンサーの登録情報に設定されている電子メールアドレスの広告主端末装置４に（１）で取得したスポンサーコード毎の検索実績情報をメール送信する。
【００３４】
以上、本発明の一実施の形態を詳細に説明したが、本発明は、本実施の形態に限られるものではない。本発明の趣旨から逸脱しない範囲内で多様に変更実施することが可能である。
【００３５】
【発明の効果】
以上説明したように、本発明の広告情報提供システムによれば、地下鉄駅の広告担当部署は、広告媒体として液晶プロジェクターを利用した配信手段により、地下鉄駅構内の一箇所の広告掲示場所に、曜日、時間帯に合わせた複数の広告を、時間分割して繰り返し配信することにより、限られた広告掲示場所を有効利用して、設備装置のメンテナンスコストを含むトータルコストを押さえると共に、広告収入の増加を図ることができる。
【００３６】
また、地下鉄案内情報に企業広告情報を付加することにより、配信スケジュールに基づいた広告収入以外に、地下鉄利用者の要求による地下鉄案内情報と併用した企業広告を露出することによる広告収入を得ることができる。
【００３７】
さらに、地下鉄利用者に対して、企業広告情報と公共ＰＲ情報と地下鉄営業案内情報と文字情報を提供することにより、公共施設である地下鉄駅構内は、地下鉄利用者に対して、より利用し易い駅としての情報発信機能を備えることができる。
【００３８】
さらにまた、ＧＰＳによる位置情報が取得できない地下鉄駅構内に於いても、検索手段により、地下鉄利用者に対して、地下鉄利用者の所在位置を基点した地下鉄案内情報を提供することができる。
【００３９】
またさらに、地下鉄案内情報により、地下鉄利用者に対して、地下鉄駅の入り口から路線を乗り換えて目的場所へ向かう出口までの経路案内情報を提供することができる。
【００４０】
広告スポンサーは、投影装置として、液晶プロジェクターを利用した広告媒体を利用することにより、広告情報量に関係なく画像をズームアップすることができ、露出効果の大きい広告を配信することができる。
【００４１】
また、曜日、時間帯に合わせた広告を配信することにより、ターゲットに合わせた、より大きな広告効果を期待することができる。
【００４２】
さらに、割引案内情報を付加した企業広告情報と店舗施設案内情報により、割引サービスによる集客力を増強する効果を得ることができる。
【図面の簡単な説明】
【図１】本発明の広告情報提供システムの構成を示す模式図である。
【図２】本発明の情報管理装置の処理手段群の処理の流れを示す流れ図である。
【符号の説明】
１  投影装置
２  表示パネル
３  利用者端末装置
４  広告主端末装置
５  インターネット
１０  情報管理装置
１１  管理者端末装置
１２  Ｗｅｂサーバー
１３  データベースサーバー
２０  データベース
２１  スポンサーテーブル
２２  広告テーブル
２３  配信スケジュールテーブル
２４  地下鉄案内テーブル
２５  検索実績テーブル
３０  情報管理装置の処理手段群
３１  配信手段
３２  検索手段
３３  積算手段
３４  検索実績提供手段
１００  広告情報提供システム
【図１】
0003763055.tif 000002
【図２】
0003763055.tif 000003